(57)【特許請求の範囲】
【請求項１】
水平な切欠き線の両端から上方に斜め内側へ切欠いた流入口を側面にもつ円筒状の周壁と底壁とからなるカップ状の本体部と、先端に傾斜板をもつ前記本体部の周壁間幅の仕切板と切換レバーつき回転リングとからなる計量切換部と、半円状の蓋部とで構成され、容器開口部に取り付けられる定量栓体であって、前記本体部の開口部に１８０度回転自在に前記計量変換部を挿着した上から前記蓋部を嵌着させることにより前記本体部内を、前記蓋部と前記計量切換部の仕切板と前記本体部の流入口下端の水平な切欠き線より上方の周壁とで囲まれた第１計量室と、前記本体部の流入口下端の水平な切欠き線より下方の周壁と底壁とで囲まれた第２計量室と、前記本体部の排出口と前記計量切換部の仕切板とこの仕切板に対応する前記本体部の周壁とで囲まれた排出孔とに区画形成したことを特徴とする粉粒体用定量栓体。
【発明の詳細な説明】
【０００１】
【発明の属する技術分野】
本発明は、粉体や顆粒状の食品、洗剤、医薬品などの内容物を定量排出する粉粒体用定量栓体に関するものである。
【０００２】
【従来の技術】
定量栓体の従来技術としては、例えば、実公平４−１０９３号公報に示されたものが知られている。すなわち、図７に示すように、周壁（１１０）と底壁（１２０）とからなり、側面に流入口（１１１）を有するカップ状の本体部（１００）と、天蓋（４１０）、縦板（４２０）及び傾斜板（４３０）とからなる仕切部（４００）とで構成され、容器（２０）開口部に取り付けられる粉粒体用定量栓体であって、前記本体部と仕切部とを嵌合させることにより該本体部内を、前記縦板、前記天蓋及び傾斜板の上端よりも上側の円周壁とで囲まれた予備室（１６）と、該予備室の下方にあり、流入口を介して容器本体内部と通じ、前記傾斜板と前記傾斜板と同等の高さのカップ状の本体部に囲まれた補充室（１７）と、該補充室の下方に位置し、傾斜板より下方の円周壁に囲まれた計量室（１５）と、前記予備室及び補充室に仕切部を介して隣接し、円周壁の一部と縦板とで囲まれた排出口（１４）とに区画形成し、該計量室の排出口側に凹陥部（１１２）を設け、かつ前記流入口は本体部のほぼ半周に相当する横幅を有し、さらに前記仕切部の傾斜板は栓体の水平面に対して内容物の安息角で傾斜していることを特徴とする粉粒体用定量栓体（１０）である。
【０００３】
【発明が解決しようとする課題】
ところで、上述した実公平４−１０９３号公報のような従来の定量栓体は、使用時にいつも一定の量を排出することしかできなかった。このため、使用時に、使用者が、使用目的に合わせた排出量に調節できるように、定量栓体に計量可変機能を付与することが強く求められるようになり、例えば、排出口の開口面積を変化さす実開平２−１４８９６２号公報、計量室内に分割板を設け、対応する排出口にも同様な分割板を設けた実開平２−６６４５３号公報、計量部を複数の小室に分け、開口部を対応して回転蓋で開閉する実開平２−９３２４８号公報などが考案された。しかしながら、これらの可変計量栓体は、排出量にむらを生じることがあったり、残量が多かったり、構造が複雑であったりした。
【０００４】
本発明は、従来の定量栓体の上述した問題を解決したものであり、使用時に排出する量を２段階に可変でき、残量が少なく、構造が比較的に簡単な粉粒体用定量栓体を提供するものである。
【０００５】
【課題を解決するための手段】
本発明は、図１（ａ）及び（ｂ）に示すように、水平な切欠き線の両端から上方に斜め内側へ切欠いた流入口（１１１）を側面にもつ円筒状の周壁（１１０）と底壁（１２０）とからなるカップ状の本体部（１００）と、先端に傾斜板（２２１）をもつ前記本体部の周壁間幅の仕切板（２２０）と切換レバー（２１１）つき回転リング（２１０）とからなる計量切換部（２００）と、半円状の蓋部（３００）とで構成され、容器開口部に取り付けられる定量栓体であって、前記本体部の開口部に１８０度回転自在に前記計量変換部を挿着した上から前記蓋部を嵌着させることにより前記定量栓体内を、前記蓋部と前記計量切換部の仕切板と前記本体部の流入口下端の水平な切欠き線より上方の周壁とで囲まれた第１計量室（１１）と、前記本体部の流入口下端の水平な切欠き線より下方の周壁と底壁とで囲まれた第２計量室（１２）と、前記本体部の排出口と前記計量切換部の仕切板とこの仕切板に対応する前記本体部の周壁とで囲まれた排出孔（１３）とに区画形成したことを特徴とする粉粒体用定量栓体（１０）である。
【０００６】
【発明の実施の形態】
本発明の粉粒体用定量栓体（１０）は、紙容器の頂部の平板や傾斜板の口部やプラスチックボトルの口頸部に取り付けられて使用されるものであり、図１（ａ）及び（ｂ）に示すように、水平な切欠き線の両端から上方に斜め内側へ切欠いた流入口（１１１）を側面にもつ円筒状の周壁（１１０）と底壁（１２０）とからなるカップ状の本体部（１００）と、先端に傾斜板（２２１）をもつ本体部の周壁間幅の仕切板（２２０）と切換レバー（２１１）つき回転リング（２１０）とからなる計量切換部（２００）と、半円状の蓋部（３００）とで構成されている。これらの本体部、計量切換部及び蓋部などの構成部材は、通常、ポリプロピレン、ポリエチレンなどの合成樹脂を用いて射出成形法により作製される。なお、本体部の開口部は、計量切換部の回転リングを挿着し、且つ、この回転リング上に蓋部を嵌着できるような構造にする。また、計量切換部の先端に傾斜板をもつ仕切板は、本体部に挿着したときに、両側の表面からの本体部の周壁内面までの距離がそれぞれ異なるように、使用目的に合わせて回転リングの所定の位置に垂設し、且つ、仕切板の長さは、下端線が本体部の流入口下端の水平な切欠き線の位置より下方になるように設けるものである。
【０００７】
そして、本発明の粉粒体用定量栓体を組み立てるための本体部への計量切換部及び蓋部の組み込みは、図１（ａ）及び（ｂ）に示すように、まず、本体部（１００）の開口部に１８０度回転自在に計量変換部（２００）の回転リング（２１０）を挿着し、次に、その上から蓋部（３００）を嵌着させて、本体部内を、蓋部と計量切換部の仕切板（２２０）と本体部の流入口（１１１）下端の水平な切欠き線より上方の周壁（１１０）とで囲まれた第１計量室（１１）と、本体部の流入口下端の水平な切欠き線より下方の周壁と底壁（１２０）とで囲まれた第２計量室（１２）と、本体部の排出口（１４）と計量切換部の仕切板とこの仕切板に対応する本体部の周壁とで囲まれた排出孔（１３）とに区画形成するものである。
【０００８】
次に、本発明の粉粒体用定量栓体の排出操作とその操作による計量原理について、図２（ａ）〜（ｃ）を用いて、詳細に説明する。容器は、本定量栓体を頂部の４５度傾斜した傾斜板の口部に流入口を上方に向けて取り付け、粉体や顆粒状の内容物を充填した四角柱状の紙容器である。まず、図２（ａ）に示すように、容器（２０）を倒立傾斜すると、容器内の内容物が容器の頂部方向に移動し、この内容物（３０）が、定量栓体（１０）の本体部（１００）の周壁（１１０）の上方の流入口（１１１）から定量栓体内の第１計量室（１１）に流入する（図中の矢印は、定量栓体の内容物の移動を示す）。この流入する量は、流入口の縦方向の高さと仕切板（２２０）の位置によって規制されることにより第１次の計量が行われる。また、流入のし易さは、流入口の投影面積の広さによる。本定量栓体は、従来の定量栓体の流入口より、水平な切欠き線の両端から上方に斜め内側へ切欠いたいるため、投影面積が広く、内容物が流入し易くなり、また、残量も少ない。次に、図２（ｂ）に示すように、容器を正立状態に戻すと、計量された第１次計量室の内容物が、一部は注入口より容器に戻るものもあるが、殆どの内容物は、下方に位置する第２計量室内（１２）へ落下する。本定量栓体のように４５度傾斜している場合は、排出孔（１３）の下方へも傾斜分だけはみ出して溜まる。なお、第２計量室内に落下して溜まった内容物（３０）の表面に、仕切板の先端に連接する傾斜板（２２１）が接触するように定量栓体を設計する。次に、図２（ｃ）に示すように、再度、容器を倒立傾斜すると、図２（ａ）のときと同様に、容器内の内容物が周壁の流入口から定量栓体内の第１計量室（１１）に流入し、また、第２計量室（１２）内の内容物の一部が、計量切換部の仕切板の先端に連接する傾斜板（２２１）の計量作用により余剰として第１計量室に戻り、合わせて第１計量室内で計量化される。同時に、傾斜板の計量作用により第２次計量された第２計量室内の他の内容物は、排出孔（１３）を通過して排出口（１４）から容器外に排出する。この排出する内容物の量は、第１次計量及び第２次計量とにより、常に使用上問題のない誤差範囲で排出口から定量排出する。この後の排出操作は、図２（ｂ）に示す状態と図２（ｃ）に示す状態とを繰り返すものである。また、図３は、本定量栓体を切換レバーで回転リングを１８０度回転して、計量する量を他の量に切り換えた場合の排出操作とその操作による計量原理を示す説明図であるが、上述の図２の場合と同様に行われる。
【０００９】
次に、本発明の粉粒体用定量栓体の計量を２段に可変する方法は、図１（ａ）及び（ｂ）を用いて説明すると、図１（ａ）における状態で、切換レバー（２１１）により回転リング（２１０）を左回転し、計量切換部（２００）を１８０度回転すると、仕切板（２２０）の両側の表面からの周壁（１１０）内面までの距離がそれぞれ異なるように設けられているため、図１（ｂ）に示すように、第１計量室（１１）の仕切板表面からの周壁内面までの距離が変化し、また、仕切板の先端に連接する傾斜板（２２１）の向きが逆側となる。この結果、第１計量室の計量及び第２計量室（１２）の内容物の計量が、図１（ａ）における状態と図２における状態では変化する。
【００１０】
【実施例】
本発明の粉粒体用定量栓体の一実施例を、図４及び図５を用いて次に具体的に説明する。
まず、図４に示す定量栓体の本体部（１００）と計量切換部（２００）と蓋部（３００）とを、射出成形法により作製した。本体部と蓋部には、ポリエチレンを用い、計量切換部には、ポリプロピレンを用いた。そして、本体部は、水平な切欠き線の両端から上方に斜め内側へ切欠いた流入口（１１１）を側面にもつ円筒状の周壁（１１０）と底壁（１２０）とからなるカップ状であり、本体部の開口部（１３０）には、回転リング挿着部（１３１）と流入口の上方に半円状の蓋部係合部（１３２）が設けてあり、本体部の上方の周壁外側に、容器口部係合部（１４０）を設けた。計量切換部は、切換レバー（２１１）つき回転リング（２１０）に、先端に傾斜板（２２１）をもつ本体部の周壁間幅の仕切板（２２０）を垂設したものであり、本体部に組み付けたとき、先端に連接する傾斜板と反対側の仕切板の表面からの本体部の周壁内面までの距離を狭く設定して、少ない方の所定の計量が行われるようにし、また、他方の傾斜板側の仕切板の表面からの周壁内面までの距離を広く設定して、多い方の所定の計量が行われるようにしたものである。なお、回転リングの下方部に本体部の開口部への挿入部（２１２）を形成した。そして、蓋部は、本体部の蓋部係合部との係合部もつ半円板状のものである。
【００１１】
次に、図４の矢印で示すように、本体部（１００）の開口部（１３０）の回転リング挿着部（１３１）に計量切換部の回転リング（２１０）の挿入部（２１２）を挿着して計量切換部を１８０度回転自在に組み込み、その上から蓋部（３００）を本体部の蓋部係合部（１３２）に嵌着させて、図５に示す本実施例の粉粒体用定量栓体（１０）を作製した。図５（ａ）は、定量排出が多いときであり、（ｂ）は、少ないときである。
【００１２】
次に、上述の本実施例の粉粒体用定量栓体（１０）を、図６に示すように、粉体状の内容物を充填した四角柱状の容器（２０）の頂部の４５度傾斜した傾斜板（２１）に設けられた口部（２２）に、本体部の容器口部係合部（１４０）によって係着して、定量栓体付容器（１）を作製した。この定量栓体付容器の内容物の排出テストを行ってみたが、２段階の計量切換操作が簡単であり、繰り返し使用上問題のない誤差範囲で定量排出ができ、排出できない残量も極めて少なかった。
【００１３】
【発明の効果】
本発明の粉粒体用定量栓体は、使用時に排出する量を２段階に可変することができ、しかも、使用上問題のない誤差範囲で繰り返し定量排出し、そのうえ、内容物の残量が少なく、構造が比較的簡単な定量栓体である。
【図面の簡単な説明】
【図１】本発明の粉粒体用定量栓体の基本的な構造を示す説明図であり、（ａ）は、定量排出が少ないときの構造であり、（ｂ）は、定量排出が多いときの構造である。
【図２】（ａ）〜（ｃ）は、本発明の粉粒体用定量栓体の計量操作とその原理を示す説明図である。
【図３】（ａ）〜（ｃ）は、本発明の粉粒体用定量栓体の他の定量排出量の場合における計量操作とその原理を示す説明図である。
【図４】実施例の粉粒体用定量栓体の構成部材を示す分解図である。
【図５】実施例の粉粒体用定量栓体の一部を切欠いた斜視図であり、（ａ）は、定量排出が多いときであり、（ｂ）は、少ないときである。
【図６】実施例の粉粒体用定量栓体を頂部の傾斜板の口部に取り付けた定量栓体付容器の斜視図である。
【図７】従来の一例の定量栓体の構造を示す断面図である。
【符号の説明】
１……定量栓体付容器
１０……定量栓体
１１……第１計量室
１２……第２計量室
１３……排出孔
１４……排出口
１５……計量室
１６……予備室
１７……補充室
２０……容器
２１……傾斜板
２２……口部
１００……本体部
１１０……周壁
１１１……流入口
１１２……凹陥部
１２０……底壁
１３０……開口部
１３１……回転リング挿着部
１３２……蓋部係合部
１４０……容器口部係合部
２００……計量切換部
２１０……回転リング
２１１……切換レバー
２１２……挿入部
２２０……仕切板
２２１，４３０……傾斜板
３００……蓋部
４００……仕切部
４１０……天蓋
４２０……縦板
【図１】
0003644098.tif 000002
【図２】
0003644098.tif 000003
【図３】
0003644098.tif 000004
【図４】
0003644098.tif 000005
【図５】
0003644098.tif 000006
【図６】
0003644098.tif 000007
【図７】
0003644098.tif 000008